(57)【要約】【課題】開閉動作時のシャッタ羽根のバウンドが抑えられ、確実なシャッタ動作が得られ、配置に必要なスペ−スも少ないシャッタ装置を提供する。【解決手段】このシャッタ装置は、シャッタケース１とケース蓋２とで形成される空間に開閉方向に回動走行可能な主羽根３，５と副羽根４，６を有しており、上記主羽根３，５には、延出突部３ｄ，５ｄが設けられ、その延出突部３ｄ，５ｄの閉状態終端位置に対向し、その移動軌跡から僅かな隙間をもって離間した位置に衝撃吸収用素材からなる制振部材２ｇ，１ｇが配置されている。本シャッタ装置が開状態から閉状態に駆動されたとき、主羽根３，５は、その終端位置で急停止し、延出突部３ｄ，５ｄが光軸方向に変位したとき、制振部材２ｇ，１ｇに当接し、主羽根３，５は制振作用を受け、主羽根３，５、副羽根４，６のバウンドが抑えられる。【選択図】  図１
2004212662.tif 000002
【特許請求の範囲】
【請求項１】
シャッタ羽根と、
上記シャッタ羽根の移動軌跡外に配置された衝撃吸収用素材と、
を有することを特徴とするシャッタ装置。
【請求項２】
シャッタ羽根と、
上記シャッタ羽根の移動軌跡外に配置され、上記シャッタ羽根の移動中、若しくは、移動完了時の変形によって上記シャッタ羽根が該シャッタ羽根の走行方向に対して略垂直に変位する方向に配置された衝撃吸収用素材と、
を有することを特徴とするシャッタ装置。
【請求項３】
シャッタ羽根と、
上記シャッタ羽根の移動軌跡近傍に配置され、上記シャッタ羽根の動作による変形によって上記シャッタ羽根が変位する方向に配置された衝撃吸収用素材と、
を有することを特徴とするシャッタ装置。
【請求項４】
シャッタ羽根と、
上記シャッタ羽根の移動の一時的停止、若しくは、移動完了時に上記シャッタ羽根の変形を誘導させるための誘導部と、
上記誘導によって生じた上記シャッタ羽根の変位で上記シャッタ羽根と当接して上記シャッタ羽根の運動エネルギを吸収する吸収部材と、
を有することを特徴とするシャッタ装置。
【発明の詳細な説明】
【０００１】
【発明の属する技術分野】
本発明は、撮影光を通過させるための露光用開口を開閉するシャッタ装置の構造に関するものである。
【０００２】
【従来の技術】
従来、シャッタ羽根を開閉駆動して、露光用開口を開閉するシャッタ装置においては、そのシャッタ羽根を高速回動（移動）後、開位置、または、閉位置に到達したとき急停止させることからバウンドが生じやすい。そのシャッタ羽根のバウンドは、露光量の変化、または、光漏れの発生等の原因となり、好ましくない。そこで、そのシャッタ羽根のバウンド防止機構が組み込まれたシャッタ装置が各種提案されている。
【０００３】
特開平９−５８３１号公報に開示のフォーカルプレンシャッタは、後幕スリット羽根、または、先幕スリット羽根（シャッタ羽根）の露光動作開始位置、または、露光動作終了位置まで駆動されたとき、上記羽根が当接する弾性緩衝部材を有している。上記弾性緩衝部材に高速移動してきたスリット羽根が当接することによりスリット羽根の駆動終端位置でのバウンドが抑えられる。
【０００４】
また、特許公報第２６２７９０４号に開示された電磁駆動シャッタは、シャッタ羽根の駆動源である電磁石によって回動駆動される、永久磁石組み込みの回転体を有しており、上記回転体を介して上記シャッタ羽根が開位置、または、閉位置に回動駆動される。上記電磁石に通電されると、上記シャッタ羽根は、開位置まで回動駆動される。上記電磁石の通電が断たれると上記シャッタ羽根は、閉位置に回動駆動されるが、そのとき、上記回転体は、回動終端位置に配置される弾性緩衝部材に当接する。上記回転体は、上記弾性緩衝部材に当接することにより終端位置での跳ね返りが少なくなり、シャッタ羽根のバウンドが抑えられる。
【０００５】
またさらに、実公昭６２−３７９２号公報に開示されたバウンド防止制動装置は、カメラのシャッタ羽根等の高速駆動装置に適用可能な制動装置であって、露光開口を有する台板と、上記台板上をスライド移動可能に支持されるシャッタ開き板，シャッタ閉じ板とを有している。上記シャッタ開き板および閉じ板は、上記台板の露光開口を開閉するために、電磁石の作動に応じてチャージバネの付勢力によって一方から他方の終端位置に高速駆動される。上記終端位置に到達したとき、シャッタ開き板，シャッタ閉じ板に設けられた突起状係合部材が弾性緩衝板の上面に当接し、上記弾性緩衝部材を弾性変形させる。上記弾性緩衝板の弾性変形のよってシャッタ開き板，シャッタ閉じ板に制動力が作用し、上記終端位置でのバウンドが抑えられる。
【０００６】
【発明が解決しようとする課題】
しかし、上述した特開平９−５８３１号公報に開示のフォーカルプレンシャッタおよび特許公報第２６２７９０４号に開示された電磁駆動シャッタにおいては、ともに上記弾性緩衝部材が上記スリット羽根、または、上記回転体等の移動終端位置に移動方向に対向させた状態で配置されていることから、移動終端位置における上記弾性緩衝部材と上記スリット羽根、または、上記回転体との相対位置精度がバウンド防止効果に大きな影響を与える。上記相対位置精度は、各構成部材の部品寸法のバラツキに加えて、組み立て精度も関係するので所定の精度に保つことが難しく、確実なバウンド防止効果を期待することは困難である。そして、上記各位置精度を所定の精度に保つには、コストアップは避けられない。
【０００７】
一方、上記実公昭６２−３７９２号公報に開示されたバウンド防止制動装置においては、上記弾性緩衝部材が終端位置にて上記シャッタ開き板，シャッタ閉じ板の突起状係合部材と上面側から当接，係合する。この場合も上記弾性緩衝部材と上記シャッタ開き板，シャッタ閉じ板との相対位置関係がバウンド効果に大きく影響することから、同様に所定のバウンド防止効果を期待することが難しい。
【０００８】
さらに、上記特開平９−５８３１号公報，上記特許公報第２６２７９０４号，上記実公昭６２−３７９２号公報に開示された各装置では、上記弾性緩衝部材を羽根，シャッタ板部材に対向して配設するために、終端位置近傍の羽根等の移動方向のスペ−スを増やす必要があって、シャッタ装置のコンパクト化に対して不利である。
【０００９】
本発明は、上述の問題点を解決するためになされたものであり、シャッタ羽根のバウンドが抑えられ、確実な開閉動作が得られ、構成が簡単で配置に必要なスペ−スも少ないシャッタ装置を提供することを目的とする。
【００１０】
【課題を解決するための手段】
本発明の請求項１記載のシャッタ装置は、シャッタ羽根と、上記シャッタ羽根の移動軌跡外に配置された衝撃吸収用素材とを有しており、上記シャッタ羽根が上記衝撃吸収用素材に当接することによってシャッタ羽根の終端位置でのバウンドが抑えられる。
【００１１】
本発明の請求項２記載のシャッタ装置は、シャッタ羽根と、上記シャッタ羽根の移動軌跡外に配置され、上記シャッタ羽根の移動中、若しくは、移動完了時の変形によって上記シャッタ羽根が該シャッタ羽根の走行方向に対して略垂直に変位する方向に配置された衝撃吸収用素材とを有しており、上記シャッタ羽根の変位により上記シャッタ羽根が上記衝撃吸収用素材に当接し、シャッタ羽根の終端位置でのバウンドが抑えられる。
【００１２】
本発明の請求項３記載のシャッタ装置は、シャッタ羽根と、上記シャッタ羽根の移動軌跡近傍に配置され、上記シャッタ羽根の動作による変形によって上記シャッタ羽根が変位する方向に配置された衝撃吸収用素材とを有しており、上記シャッタ羽根の変位により上記シャッタ羽根が上記衝撃吸収用素材に当接し、シャッタ羽根の終端位置でのバウンドが抑えられる。
【００１３】
本発明の請求項４記載のシャッタ装置は、シャッタ羽根と、上記シャッタ羽根の移動の一時的停止、若しくは、移動完了時に上記シャッタ羽根の変形を誘導させるための誘導部と、上記誘導によって生じた上記シャッタ羽根の変位で上記シャッタ羽根と当接して上記シャッタ羽根の運動エネルギを吸収する吸収部材とを有しており、上記シャッタ羽根の一時停止、または、移動完了時に上記誘導部で誘導されたシャッタ羽根が上記吸収部材に当接してそのバウンド抑えられる。
【００１４】
【発明の実施の形態】
以下、本発明の実施の形態を図に基づいて説明する。
図１は、本発明の第１実施形態であるシャッタ装置の分解斜視図である。図２は、上記シャッタ装置のケース蓋を外した状態を入射側から見た平面図であり、シャッタ閉状態の主，副羽根を示し、図３は、上記シャッタ装置を同じくケース蓋を外した状態を入射側から見た平面図であり、シャッタ開状態での主羽根のみを示す。また、図４は、図１のＡ−Ａ断面図であって、上記シャッタ装置のシャッタ閉状態を示し、図５は、図１のＢ−Ｂ断面図であって、同じく上記シャッタ装置のシャッタ閉状態を示している。図６は、上記図１のＡ−Ａ断面図であるが、シャッタ閉位置に到達したときの各シャッタ羽根の動的変位状態を示す模式図であり、光軸Ｏ方向の寸法を拡大して示す。
【００１５】
なお、以下の説明において、シャッタ装置を透過する被写体光束の光軸をＯとする。また、上記被写体光束の入射側をシャッタ装置の上側とし、射出側をシャッタ装置の下側とする。また、各部材の回動方向は、上記上側から見た回動方向で示す。
【００１６】
本実施形態のシャッタ装置は、カメラ等のシャッタ装置として適用可能であり、図１に示すように主に図示しない鏡枠に固定される支持部材のシャッタケース１、および、ケース蓋２と、露光用開口部を協働して開閉する４枚のシャッタ羽根（セクタ）である、２組の主羽根３，副羽根４および主羽根５，副羽根６と、駆動ピン７ａを有するシャッタ駆動レバー７とで構成される。
【００１７】
上記シャッタケース１は、光軸Ｏと直交する上面であって、羽根収容空間が形成される内面部１ｋと、上記内面部１ｋに配され、被写体光束を通過させるための露光用開口部１ａと、シャッタ駆動レバー７の駆動ピン７ａの挿通穴１ｉと、当接端面１ｍとを有しており、さらに、内面部１ｋ上に配置され、上記各羽根を回動自在に支持する支持ピン１ｂ，１ｃ，１ｄ，１ｆと、同じく内面部１ｋ上に固着配置される制振部材１ｇと、内面部１ｋの裏面側に配置され、シャッタ駆動レバー７を回動可能に支持するレバー支持ピン１ｊとが設けられる。
【００１８】
なお、上記支持ピン１ｄは、主羽根５の回動穴部５ｂ周辺の光軸Ｏ方向の支え用段部１ｅを有している。
【００１９】
また、上記制振部材１ｇは、衝撃吸収用素材である、例えば、ＳＯＲＢＯＴＨＡＮＥ（Ｒ，Ｓｏｒｂｏｔｈａｎｅ  Ｉｎｃ．）、または、ハネナイト（Ｒ，内外ゴム株式会社）等の防振ゴムで形成された運動エネルギ吸収部材であり、光軸Ｏと垂直な面に沿った平面部１ｇ１と斜面部１ｇ２とを有しており、シャッタケース１に接着、圧入等で固定される。上記固定状態で制振部材１ｇの平面部１ｇ１は、後述する主羽根５の延出突部５ｄの回動移動軌跡の閉鎖終端近傍であって、該移動軌跡外の羽根移動方向と垂直な方向の下方位置に僅かな隙間もって配置されている（図４，５）。
【００２０】
上記ケース蓋２には、光軸Ｏと直交する、下面（図１上では上面）であって、羽根収容空間を形成する内面部２ｋと、上記内面部２ｋに配される被写体光束を通過させるための開口部２ａと、上記支持ピン１ｂ，１ｃ，１ｄ，１ｆが嵌入する軸穴２ｂ，２ｃ，２ｄ，２ｆとを有しており、さらに、上記内面部１ｋ上に固着配置される制振部材２ｇが設けられている。このケース蓋２は、上記シャッタケース１の当接端面１ｍに当接させて組み付けられる。
なお、上記軸穴２ｂは、主羽根３の回動穴部３ｂ周辺の光軸方向の支えボス部２ｅ上に設けられる軸穴である。
【００２１】
また、上記制振部材２ｇは、制振部材１ｇと同様の衝撃吸収用素材である防振ゴムで形成された運動エネルギ吸収部材であり、角部が滑らかな周傾斜面２ｇ２をもつ光軸Ｏと垂直な面に沿った円形平面部２ｇ１を有しており、ケース蓋２の取り付け穴２ｈに接着、圧入等で固定される。上記取り付け状態で制振部材２ｇの平面部２ｇ１は、後述する主羽根３の延出突部３ｄの回動移動軌跡の閉鎖終端位置近傍であって、該軌跡外の羽根移動方向と垂直な方向の上方位置に僅かな隙間をもって配置されている（図４，５）。
【００２２】
上記主羽根３には、開口遮蔽部３ａと、支持ピン１ｂに回動自在に嵌合する回動支持穴部３ｂと、駆動ピン７ａが嵌入する回動駆動用長穴３ｃと、上記開口遮蔽部より外方位置であって閉鎖回動方向に向けて延出する延出突部３ｄとが設けられている。また、副羽根４には、開口遮蔽部４ａと、支持ピン１ｃに回動自在に嵌合する回動支持穴部４ｂと、駆動ピン７ａが嵌入する回動駆動用の長穴４ｃとが設けられている。
【００２３】
一方、上記主羽根５には、開口遮蔽部５ａと、支持ピン１ｄに回動自在に嵌合する回動支持穴部５ｂと、駆動ピン７ａが嵌入する回動駆動用長穴５ｃと、上記開口遮蔽部より外方位置であって閉鎖回動方向に向けて延出する延出突部５ｄとが設けられている。また、副羽根６には、開口遮蔽部６ａと、支持ピン１ｆに回動自在に嵌合する回動支持穴部６ｂと、駆動ピン７ａが嵌入する回動駆動用長穴６ｃとが設けられている。
【００２４】
上記シャッタ駆動レバー７は、シャッタケース１のレバー支持ピン１ｊに回動自在に支持されており、図示しない公知のシャッタ駆動用ソレノイドおよび駆動レバー戻しバネにより回動駆動され、シャッタ羽根を開閉駆動する。すなわち、上記ソレノイドがオン状態（吸引状態）になると、シャッタ駆動レバー７により駆動ピン７ａを介して主・副羽根３，４，５，６が開放駆動される。上記ソレノイドがオフ状態になると、ソレノイドの戻しバネの付勢力でシャッタ駆動レバー７により上記各羽根が閉じ方向に駆動される。
【００２５】
上記４枚の主・副羽根３，４，５，６は、図２，３に示すようにシャッタケース１とケース蓋２で形成される内部空間には開口部１ａ側（下側）から羽根６，５，３，４の順で重畳した状態で、各支持ピン１ｆ，１ｄ，１ｂ，１ｃを支点にして開閉回動可能に支持されている。その開閉位置に全回動範囲にわたって主羽根３，５の延出突部３ｄ，５ｄの重なりによって光軸Ｏ方向の上下重畳関係が保持される。
【００２６】
主羽根３は、支持ピン軸穴２ｂのボス部２ｅによりその回動支持穴部３ｂ周りがケース蓋２内面から所定の離間距離に保持され、常時、副羽根４側への移動が規制されている（図５）。また、主羽根５は、支持ピン段部１ｅにより回動支持穴部５ｂ周りがシャッタケース１内面から所定の離間距離で保持され、常時、副羽根６側への移動が規制されている（図５）。
【００２７】
また、主羽根３，５がシャッタ閉位置Ｐ３Ａ，Ｐ５Ａにあるとき（図２）、主羽根３，５の延出突部３ｄ，５ｄは、それぞれ制振部材２ｇの平面部２ｇ１，３ｇの平面部３ｇ１と光軸Ｏ方向で対向する位置にある。その光軸Ｏ方向の隙間は、上記バウンドによる変位がない静的開閉移動状態では、主羽根３，５が抵抗なく回動可能な僅かな適正隙間であって（図２，４，５）、且つ、主羽根３，５、あるいは、副羽根４，６がシャッタ閉の終端位置に到達したときのバウンドによる変位により延出突部３ｄ，５ｄと制振部材２ｇ，３ｇとが当接するような隙間とする（図６）。なお、上記変位は、図６に示されるようなガタによる変位，変形による変位を含み、そのうち、移動方向と垂直な方向の変位成分により延出突部３ｄ，５ｄと制振部材２ｇ，３ｇとが当接することになる。
【００２８】
また、主羽根３，５がシャッタ半開位置Ｐ３Ｂ，Ｐ５Ｂからシャッタ開位置Ｐ３Ｃ，Ｐ５Ｃの開放位置にあるとき（図３）、主羽根３，５、および、副羽根４，６は、シャッタケース１の内面部１ｋとケース蓋２の内面部２ｋにより挟まれた状態でそれぞれ抵抗なく回動可能な上記僅かな適正隙間をもって配置されている。
【００２９】
次に、以上のように構成された本実施の形態のシャッタ装置におけるシャッタ開閉動作について説明する。
まず、シャッタ閉状態では、図２に示すように主羽根３，５は、閉位置Ｐ３Ａ，Ｐ５Ａにあり、副羽根４，６も同様に閉位置にあって、開口部１ａが完全に閉鎖されている。主羽根３，５の回動支持穴部３ｂ，５ｂ周りは、ボス部２ｅと段部１ｅにより光軸方向の位置が規制され、主羽根３，５の延出突部３ｄ，５ｄは、その上側，下側が制振部材２ｇの平面部２ｇ１および制振部材１ｇの平面部１ｇ１によって位置規制され、さらに、主羽根３，５の他の部分、並びに、副羽根４，６は、ケース蓋２の内面部２ｋとシャッタケース１の内面部１ｋに挟まれた状態で保持されている。その閉状態では、開口部１ａは、開口遮蔽部３ａ，４ａ，５ａ，６ａが重なった状態で覆われ、光軸Ｏ方向に光もれのない移動に適正な僅かな隙間をもって保持されている。
【００３０】
シャッタ駆動レバー７が時計回りに回動駆動され、シャッタ開動作が開始されると、主羽根３，副羽根４および主羽根５，副羽根６は、それぞれ開方向（反時計回り、または、時計回り）に回動し、図３に示すように主羽根３，５が開位置Ｐ３Ｃ，Ｐ５Ｃに到達し、副羽根４，６も同様にそれぞれの開位置まで回動する。
【００３１】
シャッタ開放後、シャッタ駆動レバー７が反時計回りに回動駆動され、各羽根は閉方向に向けて回動し、主羽根３，５は、閉方向終端位置である閉位置Ｐ３Ａ，Ｐ５Ａに到達する。同時に副羽根４，６もそれぞれの閉位置に到達する。主羽根３，５が上記終端位置に到達したとき（移動完了時）、シャッタ駆動レバー７が急激に停止する。主羽根３，５、副羽根４，６は、上記急停止しようとするときの運動エネルギーによって光軸Ｏ方向を含むあらゆる方向に変位、すなわち、バウンドしようとする。図６は、そのときの各羽根の変位の状態を示している。なお、上記変位は、羽根の弾性変形のよる変位（羽根自身の平面を歪める、所謂、撓み）と、各嵌合部のガタによる変位とを含む。
【００３２】
上記羽根のバウンド時、主羽根３，５の延出突部３ｄ，５ｄの先端部が移動方向と垂直な方向、すなわち、光軸Ｏ方向に変位して制振部材２ｇの平面部２ｇ１，制振部材１ｇの平面部１ｇ１に当接する。その当接、言い換えると、その衝突，衝撃によって該先端部は、その運動エネルギが吸収され、すなわち、主羽根３，５が有していた運動エネルギが消費され、制振力を受ける。結果として、主羽根３，５のバウンド動作が抑えられる。同時に主羽根３，５に重畳されている副羽根４，６も主羽根３，５を介して制振され、同様にバウンド動作が抑えられる。
【００３３】
上記シャッタ閉時、各シャッタ羽根が終端位置に到達したとき、もし、各シャッタ羽根がバウンドした場合、一旦閉じたシャッタ羽根の間に隙間が生じるなどにより光もれが生じてしまうことになる。しかし、上述した本実施形態のシャッタ装置では、上述したように終端位置に到達時におけるバウンドが抑えられることから上記光もれの発生等が生じるこよなく、良好なシャッタ開閉動作が得られる。
【００３４】
なお、上記シャッタ羽根が上記終端位置に到達する直前においても、主羽根３，５の延出突部３ｄ，５ｄの先端部が制振部材２ｇの平面部２ｇ１，制振部材１ｇの平面部１ｇ１に接する可能性がある。その場合、終端での移動速度が減速されるので、シャッタ秒時に殆ど影響を与えることなく、停止時のバウンドが抑えられる。
【００３５】
上述したように本実施形態のシャッタ装置によると、バウンド防止機能を持たない通常のシャッタ装置に対してシャッタケース１，シャッタ蓋２の内面部に主羽根の延出突部に対向させて制振部材１ｇ，２ｇを付加し、配置するだけの簡単な構成により、シャッタ秒時に殆ど影響を与えることなくシャッタ閉時におけるシャッタ羽根のバウンドが効率よく抑えられ、良好なシャッタ開閉動作が得られ、シャッタ高速化が可能で、かつ、装置の占有スペースも小さいシャッタ装置を提供できる。
【００３６】
次に、本発明の第２実施形態であるシャッタ装置について、図７〜１１を用いて説明する。
なお、図７は、上記第２実装形態のシャッタ装置の分解斜視図である。図８は、上記シャッタ装置の閉状態を入射側（図７の上側）から見た図である。図９は、図８のＣ−Ｃ断面図である。図１０は、上記シャッタ装置の開状態を入射側（図７の上側）から見た図である。図１１は、図１０のＤ−Ｄ断面図である。
【００３７】
本実装形態のシャッタ装置は、カメラ等に適用可能なシャッタ装置であって、図７に示すように主に鏡枠に固定される支持部材のシャッタケース１１と、上記シャッタケース１１内に重なった状態で回動自在に支持される２枚のシャッタ羽根１２，１３と、上記シャッタ羽根１２，１３の光軸Ｏ方向移動を規制するためのケース蓋１４と、上記シャッタケース１１の裏面側（図７上）に回動自在に支持され、羽根駆動ピン１５ａを有するシャッタ駆動レバー１５とを有してなる。
【００３８】
上記シャッタケース１１には、シャッタ羽根１２，１３が配される内周面部１１ｂおよび光軸Ｏと直交する面である内面部１１ｐを有し、その内面部１１ｐ上の被写体光束を通過させるための露光用開口部１１ａと、シャッタ駆動レバー１５の羽根駆動ピン１５ａが挿通する長穴状の駆動ピン穴１１ｃと、シャッタ羽根１２，１３を回動支持する支持ピン１１ｄ，１１ｅと、シャッタ羽根１２の変形を誘導する誘導部である２つの傾斜面１１ｍ，１１ｎとが設けられ、さらに、内面部１１ｐ上の取り付け穴１１ｊ，１１ｈそれぞれにに固着される２つの制振部材１１ｋ，１１ｉとを有している。
【００３９】
上記傾斜面１１ｍは、内周面部１１ｂの近傍位置で内面部１１ｐ上に形成される凸状傾斜面であり、光軸Ｏと直交する面に対してシャッタ羽根１２の開放回動方向に向けて高くなるように傾斜する傾斜面である。この傾斜面１１ｍには、シャッタ羽根１２の凸状端部１２ｇがシャッタ開位置に到達したとき、該端部先端が当接する。
【００４０】
上記傾斜面１１ｎは、内周面部１１ｂの近傍位置で内面部１１ｐ上に形成される凸状傾斜面であり、光軸Ｏと直交する面に対してシャッタ羽根１２の閉鎖回動方向に向けて高くなるように傾斜する傾斜面である。この傾斜面１１ｎには、そして、シャッタ羽根１２の延出突部１２ｆがシャッタ閉位置に到達したとき、上記延出突部先端が当接する。
【００４１】
上記制振部材１１ｉ，１１ｋは、共に衝撃吸収用素材である、例えば、ＳＯＲＢＯＴＨＡＮＥ（Ｒ，Ｓｏｒｂｏｔｈａｎｅ  Ｉｎｃ．）、または、ハネナイト（Ｒ，内外ゴム株式会社）等の防振ゴムで形成される運動エネルギ吸収部材であり、角部が滑らかな周傾斜面をもつ光軸Ｏと垂直な面に沿った円形平面部を有しており、シャッタケース１１の取り付け穴１１ｈ，１１ｊに接着、圧入，カシメ等で固定して取り付けられる。
【００４２】
上記制振部材１１ｉの円形平面部は、後述するシャッタ羽根１３の凸状端部１３ｇ回動中心寄りの回動移動軌跡の開放終端近傍であって、該軌跡外の羽根移動方向と垂直な方向の下方位置に移動可能な僅かな隙間もって配置されている（図１１）。
【００４３】
上記制振部材１１ｋの円形平面部は、後述する主羽根１３の延出突部１３ｆの回動移動軌跡の閉鎖終端近傍であって、該軌跡外の羽根移動方向と垂直な方向の下方位置にシャッタ羽根１３が移動可能な僅かな隙間もって配置されている（図９）。
【００４４】
上記ケース蓋１４は、外周突起面部１４ｂを上記シャッタケース１１の内周面部１１ｂに嵌入して取り付けられ、光軸Ｏと直交する内面部１４ｐを有し、その内面部１４ｐ上に被写体光束が通過する開口部１４ａと、上記支持ピン１１ｄ，１１ｅが挿通するピン穴１４ｄ，１４ｅと、シャッタ羽根１３の変形を誘導する誘導部である２つの傾斜面１４ｍ，１４ｎとが設けられている。さらに、内面部１４ｐ上の取り付け穴１４ｈ，１４ｊそれぞれに固着される衝撃吸収用素材（運動エネルギ吸収部材）である２つの制振部材１４ｉ，１４ｋとを有している。
【００４５】
上記傾斜面１４ｍは、外周突起面部１４ｂの近傍位置で内面部１４ｐ上に形成される凸状の傾斜面であり、光軸Ｏと直交する面に対してシャッタ羽根１３の開放回動方向に向けて高くなるように傾斜する傾斜面である。シャッタ羽根１３の凸状端部１３ｇがシャッタ開位置に到達したとき、この傾斜面１４ｍに該端部先端が当接する。
【００４６】
上記傾斜面１４ｎは、外周突起面部１４ｂの近傍位置で内面部１４ｐ上に形成される凸状の傾斜面であり、光軸Ｏと直交する面に対してシャッタ羽根１３の閉回動方向に向けて高くように傾斜する傾斜面である。シャッタ羽根１３の延出突部１３ｆがシャッタ閉位置に到達したとき、この傾斜面１４ｎに該延出突部先端が当接する。
【００４７】
上記制振部材１４ｉ，１４ｋは、共に衝撃吸収用素材であって、例えば、ＳＯＲＢＯＴＨＡＮＥ（Ｒ，Ｓｏｒｂｏｔｈａｎｅ  Ｉｎｃ．）、または、ハネナイト（Ｒ，内外ゴム株式会社）等の防振ゴムを素材にして形成された部材であり、角部が滑らかな周傾斜面をもつ光軸Ｏと垂直な面に沿った円形平面部を有しており、シャッタケース１４の取り付け穴１４ｈ，１４ｊに接着、圧入，カシメ等で固定して取り付けられる。
【００４８】
上記制振部材１４ｉの円形平面部は、後述するシャッタ羽根１２の凸状端部１２ｇの回動中心寄りの回動移動軌跡の開放終端近傍であって該移動軌跡外の羽根移動方向と垂直な方向の上方位置にてシャッタ羽根１２が移動可能な僅かな隙間もって配置されている（図１１）。
【００４９】
上記制振部材１４ｋの円形平面部は、後述するシャッタ羽根１２の延出突部１２ｆの回動移動軌跡の閉鎖終端近傍であって該移動軌跡外の羽根移動方向と垂直な方向の上方位置にてシャッタ羽根１２が移動可能な僅かな隙間もって配置されている（図９）。
【００５０】
上記シャッタ羽根１２，１３には、それぞれ中央部に開口１１ａを遮蔽するための開口遮蔽部を有し、一端部にそれぞれ回動軸穴１２ａ，１３ａと、それぞれ駆動ピン１５ａが嵌入する長穴状の駆動ピン穴１２ｂ，１３ｂと、それぞれ開口遮蔽部より外方位置であって閉鎖回動方向に向けて延出する延出突部１２ｆ，１３ｆと、それぞれ開口遮蔽部の背面側に凸状端部１２ｇ，１３ｇが設けられる。
【００５１】
上記シャッタ駆動レバー１５は、図示しない公知のシャッタ駆動用ソレノイドおよび駆動レバー戻しバネにより回動駆動され、駆動ピン１５ａを介してシャッタ羽根１２，１３を開閉駆動する。すなわち、上記ソレノイドのオフにより、ソレノイドの戻しバネの付勢力でシャッタ駆動レバー１５は、閉方向に回動駆動され、シャッタ羽根１２，１３を閉位置に回動駆動する。上記ソレノイドがオン状態（吸引状態）になると、シャッタ駆動レバー１５は、開方向に回動駆動され、シャッタ羽根１２，１３を開位置に回動駆動する。
【００５２】
上記２枚のシャッタ羽根１２，１３は、図１１に示すようにシャッタケース１１とケース蓋１４の内面部１１ｐ，１４ｐで形成される内部空間の開口部１１ａ側にシャッタ羽根１２を、開口１４ａ側にシャッタ羽根１３を重畳した状態で配置し、各支持ピン１１ｄ，１１ｅにより開閉回動支持する。その全開閉回動範囲において、延出突部１２ｆ，１３ｆの重なりによってシャッタ羽根１２，１３の光軸Ｏ方向の上下重畳状態が保持される。
【００５３】
シャッタ羽根１２，１３がシャッタ閉位置Ｐ１２Ａ，Ｐ１３Ａ（終端位置）にあるとき、図８に示すようにシャッタ羽根の延出突部１２ｆ，１３ｆの先端は、傾斜面１１ｎ、または、１４ｎに当接しているか、もしくは、略当接寸前の状態にある。そして、上記傾斜面当接状態にあるとき、シャッタ羽根１２，１３の延出突部１２ｆ，１３ｆに対して光軸Ｏ方向に対向する上方位置、または、下方位置に移動可能な僅かな隙間をもって制振部材１４ｋの平面部、または、１１ｋの平面部が位置する（移動軌跡外）。この状態でさらに上記シャッタ羽根が光軸Ｏと直交する閉鎖方向に変位すると、上記延出突部１２ｆ，１３ｆが上記傾斜面上をスライドしてその先端部が光軸Ｏ方向に移動し、制振部材１４ｋの平面部、または、１１ｋの平面部に当接する。
【００５４】
一方、シャッタ羽根１２，１３がシャッタ開位置Ｐ１２Ｃ，Ｐ１３Ｃ（終端位置）にあるとき、図１１に示すようにシャッタ羽根の凸状端部１２ｇ，１３ｇの先端は、傾斜面１１ｍ、または、１４ｍに当接しているか、もしくは、略当接寸前の状態にある。そして、上記傾斜面当接状態にあるとき、シャッタ羽根１２，１３の凸状端部１２ｇ，１３ｇの近傍の回動支持ピン側寄り（近傍）にて光軸Ｏ方向に対向する上方位置、または、下方位置に移動可能な僅かな隙間をもって制振部材１４ｉの平面部、または、１１ｉの平面部が位置する（移動軌跡外）。この状態でさらに上記シャッタ羽根が光軸Ｏと直交する開方向に変位すると、上記凸状端部１２ｇ，１３ｇが上記傾斜面上をスライドしてその先端部が光軸Ｏ方向に移動し、制振部材１４ｉの平面部、または、制振部材１１ｉの平面部に当接する。
【００５５】
次に、以上のように構成された本実施の形態のシャッタ装置におけるシャッタ開閉動作について説明する。
まず、シャッタ閉状態では、図８に示すようにシャッタ羽根１２，１３は、閉位置Ｐ１２Ａ，Ｐ１３Ａにあり、開口部１１ａが完全に閉鎖されている。シャッタ羽根１２，１３は、ケース蓋１４の内面部１４ｐとシャッタケース１１の内面部１ｐに挟まれた状態で光もれのない移動に適正な僅かな隙間をもって保持されている。
【００５６】
そこで、シャッタ駆動レバー１５が時計回りに回動駆動され、シャッタ開動作が開始されると、シャッタ羽根１２，１３は、それぞれ開方向（反時計回り、または、時計回り）に回動する。そして、図１０に示す開位置Ｐ１２Ｃ，Ｐ１３Ｃに到達すると（移動完了）、シャッタ駆動レバー１５が急停止するので、シャッタ羽根１２，１３は、そのときの運動エネルギで開位置Ｐ１２Ｃ，Ｐ１３Ｃの終端位置からさらに開方向に変位する（ガタ，羽根自身の平面を歪める、所謂、撓み変形による変位）。そして、上記凸状端部１２ｇ，１３ｇが傾斜面１１ｍ，１４ｍ上を滑って上方向、または、下方向に移動する。その移動によって凸状端部１２ｇ，１３ｇの支持ピン寄りの端部は、それぞれ制振部材１４ｉまたは、１１ｉの平面部に当接し、シャッタ羽根１２，１３の運動エネルギが制振部材１４ｉ、または、１１ｉによって吸収される。したがって、シャッタ羽根の変位が減じられ、その後のバウンドが抑えられた状態で停止する。すなわち、一旦開いた開口１１ａが閉側に変化すること等がなく、シャッタ羽根１２，１３は、開位置Ｐ１２Ｃ，Ｐ１３Ｃに完全に停止する。
【００５７】
続いて、図１０に示すシャッタ開状態からシャッタ駆動レバー１５が反時計回りに回動駆動され、シャッタ閉動作が開始されると、シャッタ羽根１２，１３は、それぞれ閉方向（時計回り、または、反時計回り）に回動する。そして、図８に示す閉位置Ｐ１２Ａ，Ｐ１３Ａに到達すると（移動完了）、シャッタ駆動レバー１５が急停止するので、シャッタ羽根１２，１３は、そのときの運動エネルギで閉位置Ｐ１２Ａ，Ｐ１３Ａの終端位置からさらに閉方向に変位する（ガタ，羽根自身の平面を歪める、所謂、撓み変形による変位）。そして、上記延出突部１２ｆ，１３ｆが傾斜面１１ｎ，１４ｎ上を滑って上方向、または、下方向に移動する。その移動によって延出突部１２ｆ，１３ｆは、それぞれ制振部材１４ｋ、または、１１ｋの平面部に当接し、シャッタ羽根１２，１３の運動エネルギが制振部材１４ｋ、または、１１ｋによって吸収される。したがって、シャッタ羽根の変位が減じられ、その後の羽根のバウンドが抑えられた状態で停止する。すなわち、羽根のバウンドによって羽根の間に隙間ができ、一旦閉じた開口部１１ａからの光もれ等が発生することなく、シャッタ羽根１２，１３は、閉位置Ｐ１２Ａ，Ｐ１３Ａに完全に停止する。
【００５８】
以上、説明したように本実施形態のシャッタ装置によると、バウンド防止機能を持たない通常のシャッタ機構に対してシャッタケース１１，シャッタ蓋１４の内面部に一体的な傾斜面１１ｎ，１１ｍや傾斜面１４ｎ，１４ｍを設け、その傾斜面近傍のシャッタ羽根の延出突部や凸状端部に対向させて制振部材１１ｉ，１１ｋ，１４ｉ，１４ｋを付加して配置するだけの簡単な構成により、シャッタ秒時に殆ど影響を与えることなく、シャッタ開時、シャッタ閉時におけるシャッタ羽根のバウンドが効率よく抑えられ、良好なシャッタ開閉動作が得られ、高速化が可能で、かつ、装置の占有スペースも小型のシャッタ装置を提供できる。
【００５９】
なお、上記各実施形態のシャッタ装置は、シャッタ開位置、または、閉位置等のシャッタ羽根の移動完了時における羽根のバウンドを抑えるように構成したものであるが、これに限らず、シャッタ羽根の一時的停止時、例えば、シャッタ半開状態時におけるシャッタ羽根の延出突部等の対向上下位置に上記制振部材、および／または、上記傾斜面を配置することによって、一時的停止時におけるバウンドを抑えることも可能である。
【００６０】
また、本発明に加えて、従来の羽根走行軌跡中に衝撃吸収部材を配置する従来の技術を適用すれば、その効果は万全となる。
【００６１】
【発明の効果】
本発明によれば、シャッタ羽根の開閉動作時のバウンドが抑えられ、確実なシャッタ動作が得られ、構成が簡単で配置に必要なスペ−スも少ないシャッタ装置を提供することができる。
【図面の簡単な説明】
【図１】本発明の第１実施形態であるシャッタ装置の分解斜視図である。
【図２】上記図１のシャッタ装置のケース蓋を外した状態を入射側から見た平面図であり、シャッタ閉状態の主，副羽根を示す。
【図３】上記図１のシャッタ装置のケース蓋を外した状態を入射側から見た平面図であり、シャッタ開状態での主羽根のみを示す。
【図４】上記図１のＡ−Ａ断面図であって、上記シャッタ装置のシャッタ閉状態を示す。
【図５】上記図１のＢ−Ｂ断面図であって、上記シャッタ装置のシャッタ閉状態を示す。
【図６】上記図１のＡ−Ａ断面図であるが、シャッタ閉位置に到達したときの各シャッタ羽根変位状態を示す模式図であり、光軸Ｏ方向の寸法を拡大して示す。
【図７】本発明の第２実装形態のシャッタ装置の分解斜視図である。
【図８】上記図７のシャッタ装置の閉状態を入射側から見た平面図である。
【図９】上記図８のＣ−Ｃ断面図である。
【図１０】上記図７のシャッタ装置の開状態を入射側から見た平面図である。
【図１１】上記図１０のＤ−Ｄ断面図である。
【符号の説明】
１ｇ，２ｇ…制振部材（衝撃吸収部材）
３  …主羽根（シャッタ羽根）
５  …副羽根（シャッタ羽根）
１１ｉ，１１ｋ，１４ｉ，１４ｋ…制振部材（運動エネルギを吸収する吸収部材，衝撃吸収部材）
１１ｍ，１１ｎ，１４ｍ，１４ｎ…傾斜面（誘導部）
１２，１３…シャッタ羽根
【図１】
2004212662.tif 000003
【図２】
2004212662.tif 000004
【図３】
2004212662.tif 000005
【図４】
2004212662.tif 000006
【図５】
2004212662.tif 000007
【図６】
2004212662.tif 000008
【図７】
2004212662.tif 000009
【図８】
2004212662.tif 000010
【図９】
2004212662.tif 000011
【図１０】
2004212662.tif 000012
【図１１】
2004212662.tif 000013